(57)【要約】【課題】光伝送路で接続された伝送装置間で一方の伝送装置において効率的にスパンロス調整可能なスパンロス自動調整装置および方法を提供する。【解決手段】光信号を光伝送路３０を通して伝送装置１０から受信し受信パワーレベル情報Ｐrcvを検出する光受信部２０１と、伝送装置１０から光伝送路３０を通して光信号の送信パワーレベル情報Ｐtrを監視信号として受信する監視信号受信部２０２と、光信号の送信パワーレベル情報と受信パワーレベル情報との差に基づいて光伝送路３０のスパンロスを検出するスパンロス検出部２１０と、スパンロス検出値と予め設定されたスパンロス目標値との差に基づいて光受信手段の入力の減衰量を可変制御する可変減衰部２０４と、を有する。【選択図】図１
2012205172.tif 000002
【特許請求の範囲】
【請求項１】
複数の光伝送路を用いて伝送装置間で主信号の他に監視信号を伝送可能な光伝送システムにおけるスパンロス自動調整装置であって、
光信号を光伝送路を通して接続先の伝送装置から受信し、受信パワーレベル情報を検出する光受信手段と、
前記接続先の伝送装置から前記光伝送路を通して前記光信号の送信パワーレベル情報を監視信号として受信する監視信号受信手段と、
前記光信号の送信パワーレベル情報と前記受信パワーレベル情報との差に基づいて前記光伝送路のスパンロスを検出するスパンロス検出手段と、
前記スパンロス検出値と予め設定されたスパンロス目標値との差に基づいて前記光受信手段の入力の減衰量を可変制御する可変減衰手段と、
を有することを特徴とするスパンロス自動調整装置。
【請求項２】
複数の光伝送路を用いて伝送装置間で主信号の他に監視信号を伝送可能な光伝送システムにおけるスパンロス自動調整方法であって、
光受信手段が光信号を光伝送路を通して接続先の伝送装置から受信して受信パワーレベル情報を検出し、
監視信号受信手段が前記接続先の伝送装置から前記光伝送路を通して前記光信号の送信パワーレベル情報を監視信号として受信し、
スパンロス検出手段が前記光信号の送信パワーレベル情報と前記受信パワーレベル情報との差に基づいて前記光伝送路のスパンロスを検出し、
可変減衰手段が前記スパンロス検出値と予め設定されたスパンロス目標値との差に基づいて前記光受信手段の入力の減衰量を可変制御する、
ことを特徴とするスパンロス自動調整方法。
【請求項３】
複数の光伝送路を用いて伝送装置間で主信号の他に監視信号を伝送可能な光伝送システムにおけるスパンロス自動調整装置であって、
光信号を第１光伝送路を通して接続先の伝送装置へ伝送する光送信手段と、
前記接続先の伝送装置から第２光伝送路を通して前記光信号の受信パワーレベル情報を監視信号として受信する監視信号受信手段と、
前記光送信手段の送信パワーレベル情報と前記受信パワーレベル情報との差に基づいて前記第１光伝送路のスパンロスを検出するスパンロス検出手段と、
前記スパンロス検出値と予め設定されたスパンロス目標値との差に基づいて前記光送信手段の出力の減衰量を可変制御する可変減衰手段と、
を有することを特徴とするスパンロス自動調整装置。
【請求項４】
複数の光伝送路を用いて伝送装置間で主信号の他に監視信号を伝送可能な光伝送システムにおけるスパンロス自動調整方法であって、
光送信手段が光信号を第１光伝送路を通して接続先の伝送装置へ伝送し、
監視信号受信手段が前記接続先の伝送装置から第２光伝送路を通して前記光信号の受信パワーレベル情報を監視信号として受信し、
スパンロス検出手段が前記光送信手段の送信パワーレベル情報と前記受信パワーレベル情報との差に基づいて前記第１光伝送路のスパンロスを検出し、
可変減衰手段が前記スパンロス検出値と予め設定されたスパンロス目標値との差に基づいて前記光送信手段の出力の減衰量を可変制御する、
ことを特徴とするスパンロス自動調整方法。
【請求項５】
複数の光伝送路を用いて伝送装置間で主信号の他に監視信号を伝送可能な光伝送システムにおけるスパンロス自動調整装置であって、
第１光信号を第１光伝送路を通して接続先の伝送装置へ伝送する光送信手段と、
第２光信号を第２光伝送路を通して前記接続先の伝送装置から受信する光受信手段と、
前記接続先の伝送装置から前記第２光伝送路を通して前記第１光信号の受信パワーレベル情報と前記接続先の伝送装置から送信される前記第２光信号の送信パワーレベル情報とを監視信号として受信する監視信号受信手段と、
前記光送信手段の送信パワーレベル情報と前記第１光信号の受信パワーレベル情報との差に基づいて前記第１光伝送路のスパンロスを検出し、前記第２光信号の送信パワーレベル情報と前記光受信手段で受信した前記第２光信号の受信パワーレベル情報との差に基づいて前記第２光伝送路のスパンロスを検出するスパンロス検出手段と、
前記第１光伝送路のスパンロス検出値と予め設定されたスパンロス目標値との差に基づいて前記光送信手段の出力の減衰量を可変制御する第１可変減衰手段と、
前記第２光伝送路のスパンロス検出値と予め設定されたスパンロス目標値との差に基づいて前記光受信手段の入力側の減衰量を可変制御する第２可変減衰手段と、
を有することを特徴とするスパンロス自動調整装置。
【請求項６】
複数の光伝送路を用いて伝送装置間で主信号の他に監視信号を伝送可能な光伝送システムにおけるスパンロス自動調整方法であって、
光送信手段が光信号を第１光伝送路を通して接続先の伝送装置へ伝送し、
光受信手段が第２光信号を第２光伝送路を通して前記接続先の伝送装置から受信し、
監視信号受信手段が前記接続先の伝送装置から前記第２光伝送路を通して前記第１光信号の受信パワーレベル情報と前記接続先の伝送装置から送信される前記第２光信号の送信パワーレベル情報とを監視信号として受信し、
スパンロス検出手段が前記光送信手段の送信パワーレベル情報と前記第１光信号の受信パワーレベル情報との差に基づいて前記第１光伝送路のスパンロスを検出し、前記第２光信号の送信パワーレベル情報と前記光受信手段で受信した前記第２光信号の受信パワーレベル情報との、差に基づいて前記第２光伝送路のスパンロスを検出し、
第１可変減衰手段が前記第１光伝送路のスパンロス検出値と予め設定されたスパンロス目標値との差に基づいて前記光送信手段の出力の減衰量を可変制御し、
第２可変減衰手段が前記第２光伝送路のスパンロス検出値と予め設定されたスパンロス目標値との差に基づいて前記光受信手段の入力側の減衰量を可変制御する、
ことを特徴とするスパンロス自動調整方法。
【請求項７】
複数の光伝送路を用いて伝送装置間で主信号の他に監視信号を伝送可能な光伝送システムであって、
第１伝送装置が光信号を光伝送路を通して第２伝送装置へ伝送すると共に、前記光信号の送信パワーレベル情報を監視信号として送信する光送信手段を有し、
前記第２伝送装置が、
前記第１伝送装置から前記光伝送路を通して受信した光信号の受信パワーレベル情報を検出する光受信手段と、
前記送信パワーレベル情報を監視信号として受信する監視信号受信手段と、
前記光信号の送信パワーレベル情報と前記受信パワーレベル情報との差に基づいて前記光伝送路のスパンロスを検出するスパンロス検出手段と、
前記スパンロス検出値と予め設定されたスパンロス目標値との差に基づいて前記光受信手段の入力の減衰量を可変制御する可変減衰手段と、を有する、
ことを特徴とする光伝送システム。
【請求項８】
複数の光伝送路を用いて伝送装置間で主信号の他に監視信号を伝送可能な光伝送システムであって、
第１伝送装置が、
光信号を第１光伝送路を通して第２伝送装置へ伝送する光送信手段と、
前記第２伝送装置から第２光伝送路を通して前記光信号の受信パワーレベル情報を監視信号として受信する監視信号受信手段と、
前記光送信手段の送信パワーレベル情報と前記受信パワーレベル情報との差に基づいて前記第１光伝送路のスパンロスを検出するスパンロス検出手段と、
前記スパンロス検出値と予め設定されたスパンロス目標値との差に基づいて前記光送信手段の出力の減衰量を可変制御する可変減衰手段と、
を有し、
前記第２伝送装置が、
前記第１光伝送路通して前記第１伝送装置から前記光信号を受信する光受信手段と、
前記光受信手段により受信された時の前記光信号の受信パワーレベル情報を含む監視信号を前記第１伝送装置へ前記第２光伝送路を通して送信する監視信号送信手段と、
を有する、
ことを特徴とする光伝送システム。
【請求項９】
光伝送路を用いて伝送装置間で主信号の他に監視信号を伝送可能な光伝送システムにおける伝送装置のプログラム制御プロセッサをスパンロス自動調整装置として機能させるプログラムであって、
光受信手段が光信号を光伝送路を通して接続先の伝送装置から受信して受信パワーレベル情報を検出し、
監視信号受信手段が前記接続先の伝送装置から前記光伝送路を通して前記光信号の送信パワーレベル情報を監視信号として受信し、
スパンロス検出手段が前記光信号の送信パワーレベル情報と前記受信パワーレベル情報との差に基づいて前記光伝送路のスパンロスを検出し、
可変減衰手段が前記スパンロス検出値と予め設定されたスパンロス目標値との差に基づいて前記光受信手段の入力の減衰量を可変制御する、
ように前記プログラム制御プロセッサを機能させることを特徴とするプログラム。
【請求項１０】
複数の光伝送路を用いて伝送装置間で主信号の他に監視信号を伝送可能な光伝送システムにおける伝送装置のプログラム制御プロセッサをスパンロス自動調整装置として機能させるプログラムであって、
光送信手段が光信号を第１光伝送路を通して接続先の伝送装置へ伝送し、
監視信号受信手段が前記接続先の伝送装置から第２光伝送路を通して前記光信号の受信パワーレベル情報を監視信号として受信し、
スパンロス検出手段が前記光送信手段の送信パワーレベル情報と前記受信パワーレベル情報との差に基づいて前記第１光伝送路のスパンロスを検出し、
可変減衰手段が前記スパンロス検出値と予め設定されたスパンロス目標値との差に基づいて前記光送信手段の出力の減衰量を可変制御する、
ように前記プログラム制御プロセッサを機能させることを特徴とするプログラム。
【発明の詳細な説明】
【技術分野】
【０００１】
本発明は複数の光伝送路および光伝送装置を通して光信号を伝送する光伝送システムに係り、特に光伝送装置間のスパンロスを調整する装置および方法に関する。
【背景技術】
【０００２】
光伝送システムを設計する際、伝送路のスパンロスが事前に分かっていない場合にはスパンロスを推定する必要があり、通常、このスパンロスの推定はある程度のマージンを持たせて行われている。そのために、実際の運用時にはスパンロスを適切な値に調整する必要があるが、スパンロス値は伝送区間ごとに異なっているので一律に調整することはできない。そこで、これまでは手動でスパンロスの調整が行われており、そのための支援装置が種々提案されている。
【０００３】
たとえば、特許文献１には、伝送区間の送信側の送信レベルと受信側の受信レベルとをモニタし、それらのレベル差をスパンロスとして表示する伝送路ロス表示装置が開示されている。これによってオペレータ（調整者）はその表示値をみながら容易に光減衰器を調整することができる。同様に、特許文献２には、監視制御光を利用して送信パワーと受信パワーとを測定し、それらに基づいてスパンロスを検出する方法が開示されている。
【０００４】
また、伝送光レベルを所定レベルに制御する方法としては、特許文献３に開示された光レベル制御方法がある。この光レベル制御方法では、ＯＳＣ(Optical Supervisory Channel)光を利用して送信光レベル情報を受信側へ送信し、受信側では、受信したＯＳＣ光から送信光レベル情報を取り出し、送信光レベル情報と受信ＯＳＣ光の受信光レベルとを用いてリンク網の光レベル変動を算出し、出力光レベルが所定レベルとなるように可変光減衰器（ＶＯＡ：Variable Optical Attenuator)を調整する。
【先行技術文献】
【特許文献】
【０００５】
【特許文献１】特開２００８−０７８８４１号公報
【特許文献２】特開２００７−２５１６８３号公報
【特許文献３】特開２００７−１０４１０３号公報
【発明の概要】
【発明が解決しようとする課題】
【０００６】
しかしながら、特許文献１や特許文献２に開示された伝送路ロス表示装置やスパンロス検出方法によれば、実際のスパンロス調整は、現地に作業員が出向いてスパンロスを検出し、スパンロスに応じて可変光減衰器を手動で調整する必要があるために時間と手間を要していた。また特許文献３は受信側の光アンプの入力レベルを一定に維持することで伝送路品質を確保する技術であり、スパンロス調整のための回路を教示していない。
【０００７】
また、特許文献１−３では、下流側の伝送装置にスパンロス調整あるいは光レベル制御のための光可変減衰器を設けているために、光伝送路を通過した後の光を減衰させることとなり光伝送路を伝搬する光の強度を調整できない。
【０００８】
さらに、伝送装置間が複数本の光伝送路で接続されている場合、それぞれの光伝送路に対して同様のスパンロス調整あるいは光レベル制御を実行しなければならず、時間のかかる繁雑な作業となる。
【０００９】
そこで、本発明の目的は、光伝送路で接続された伝送装置間で一方の伝送装置において効率的にスパンロス調整可能なスパンロス自動調整装置および方法を提供することにある。
【課題を解決するための手段】
【００１０】
本発明によるスパンロス自動調整装置は、複数の光伝送路を用いて伝送装置間で主信号の他に監視信号を伝送可能な光伝送システムにおけるスパンロス自動調整装置であって、光信号を光伝送路を通して接続先の伝送装置から受信し、受信パワーレベル情報を検出する光受信手段と、前記接続先の伝送装置から前記光伝送路を通して前記光信号の送信パワーレベル情報を監視信号として受信する監視信号受信手段と、前記光信号の送信パワーレベル情報と前記受信パワーレベル情報との差に基づいて前記光伝送路のスパンロスを検出するスパンロス検出手段と、前記スパンロス検出値と予め設定されたスパンロス目標値との差に基づいて前記光受信手段の入力の減衰量を可変制御する可変減衰手段と、を有することを特徴とする。
【００１１】
本発明によるスパンロス自動調整方法は、光受信手段が光信号を光伝送路を通して接続先の伝送装置から受信して受信パワーレベル情報を検出し、監視信号受信手段が前記接続先の伝送装置から前記光伝送路を通して前記光信号の送信パワーレベル情報を監視信号として受信し、スパンロス検出手段が前記光信号の送信パワーレベル情報と前記受信パワーレベル情報との差に基づいて前記光伝送路のスパンロスを検出し、可変減衰手段が前記スパンロス検出値と予め設定されたスパンロス目標値との差に基づいて前記光受信手段の入力の減衰量を可変制御する、ことを特徴とする。
【発明の効果】
【００１２】
本発明によれば、光伝送路で接続された伝送装置間で一方の伝送装置において効率的なスパンロス調整が可能となる。
【図面の簡単な説明】
【００１３】
【図１】図１は本発明の第１実施形態によるスパンロス自動調整方法の基本的動作を説明するための光伝送システムのブロック図である。
【図２】図２は本発明の第２実施形態によるスパンロス自動調整装置を組み込んだ光伝送システムのブロック図である。
【図３】図３は第２実施形態によるスパンロス自動調整動作を説明するためのシーケンス図である。
【図４】図４は本発明の第３実施形態によるスパンロス自動調整装置を組み込んだ光伝送システムのブロック図である。
【図５】図５は第３実施形態によるスパンロス自動調整動作を説明するためのシーケンス図である。
【発明を実施するための形態】
【００１４】
１．第１実施形態
図１に示すように、上流側の伝送装置１０と下流側の伝送装置２０とが光伝送路３０により接続された波長分割多重（ＷＤＭ）方式の光伝送システムを考える。ただし、図１では、本発明に関連する構成のみを図示している。
【００１５】
伝送装置１０は光アンプ１０１、監視信号送信部１０２および装置制御部１０３を有する。装置制御部１０３は伝送装置１０の全体的な動作制御を行うが、ここでは光アンプ１０１の送信パワーレベル情報Ｐｔｒを監視信号に乗せて送信するように監視信号送信部１０２を制御する。監視信号送信部１０２は、装置制御部１０３の制御に従って、送信パワーレベル情報Ｐtrを含む監視信号Ｓ(Ptr)を生成し光アンプ１０１へ出力する。監視信号（ＯＳＣ信号）は一般的に伝送装置の遠隔制御などに用いられるものであるが、ここでは光アンプの送信パワーレベル情報の送信に利用する。光アンプ１０１は、上流から受信した主信号を光増幅すると共に監視信号Ｓ(Ptr)を波長多重し、光伝送路３０を通して伝送装置２０へ送信する。
【００１６】
伝送装置２０は、光アンプ２０１、監視信号受信部２０２、装置制御部２０３および光可変減衰器２０４に加えて、スパンロス検出部２１０および比較部２１１をさらに有する。装置制御部１０３は伝送装置２０の全体的な動作制御を行う。光アンプ２０１は受信した光信号から主信号と監視信号（ここではＳ(Ptr)）を分離し、主信号を光増幅してさらに下流の伝送装置へ送信し、監視信号Ｓ(Ptr)を監視信号受信部２０２へ出力する。監視信号受信部２０２は監視信号Ｓ(Ptr)から送信パワーレベル情報Ｐtrを取り出し、装置制御部２０３へ出力する。また、光アンプ２０１は受信パワーレベル情報Ｐrcvを装置制御部２０３へ出力する。
【００１７】
装置制御部２０３は、入力した送信パワーレベル情報Ｐtrと受信パワーレベル情報Ｐrcvとをスパンロス検出部２１０へ出力する。スパンロス検出部２１０は、送信パワーレベル情報Ｐtrと受信パワーレベル情報Ｐrcvとの差分をとることで光伝送路３０のスパンロス実測値を算出し、比較部２１１へ出力する。比較部２１１は、入力したスパンロス実測値と伝送設計時に想定したスパンロス目標値とを比較し、その差分を装置制御部２０３へ出力する。装置制御部２０３は、スパンロスの実測値と目標値との差に従って減衰制御信号Ｃを生成し光可変減衰器２０４へ出力する。こうして、
【００１８】
本発明の第１実施形態によれば、伝送装置１０と伝送装置２０とが光信号を伝送する光伝送路３０で接続された伝送システムにおいて、スパンロスの実測値と目標値との差に従って光可変減衰器２０４での減衰量を制御することでスパンロスの自動調整が可能となる。
【００１９】
２．第２実施形態
図２に示すように、本発明の第２実施形態によるスパンロス自動調整装置は上流側の伝送装置１１に設けられている。本実施形態による光伝送システムでは、伝送装置１１と伝送装置２１とが２本の光伝送路３０および４０で接続され、それぞれ光信号を逆方向に伝送する。このような二重化された伝送システムでは、一方の光伝送路に障害が発生しても他方の光伝送路へ切り替えることで障害を迂回したパスを形成することが可能である。なお、図１と同じ機能を有するブロックには同一の参照番号を付して説明は簡略化する。
【００２０】
図２において、伝送装置１１は、光伝送路３０の系に対応する光アンプ１０１および監視信号送信部１０２と本実施形態による制御を行う装置制御部１０４とに加えて、光伝送路４０の系に対応する光アンプ１０５および監視信号送信部１０６と、装置制御部１０４により制御されるスパンロス検出部１１０および比較部１１１と、光アンプ１０１の出力側に設けられた光可変減衰器１１２と、をさらに有する。
【００２１】
伝送装置２１は、光伝送路３０の系に対応する光アンプ２０１および監視信号受信部２０２と、光伝送路４０の系に対応する光アンプ２０５および監視信号送信部２０６と、本実施形態による制御を行う装置制御部２０７と、を有する。装置制御部２０７は伝送装置２１の全体的な動作制御を行う。本実施形態によれば、伝送装置２１は光伝送路３０を通して受信した光信号の受信パワーレベル情報Ｐrcvを監視信号を利用して光伝送路４０を通して伝送装置１１へ返す。
【００２２】
なお、伝送装置１１において、監視信号送信部１０２、装置制御部１０４、監視信号送信部１０６、スパンロス検出部１１０、および比較部１１１の機能は、プログラム制御プロセッサ上でプログラムを実行することにより実現することもできる。同様に、伝送装置２１において、監視信号受信部２０２、監視信号送信部２０６および装置制御部２０７の機能は、プログラム制御プロセッサ上でプログラムを実行することにより実現することもできる。以下、本実施形態の動作を図２および図３を参照しながら詳細に説明する。
【００２３】
まず、伝送装置１１の監視信号送信部１０２は、装置制御部１０４の制御に従って監視信号Ｓを生成し光アンプ１０１へ出力する。光アンプ１０１は、上流から受信した主信号を光増幅すると共に監視信号Ｓを波長多重し、光可変減衰器１１２を通して光伝送路３０へ送出する（ステップ３０１）。その際、装置制御部１０４は送信時の送信パワーレベル情報Ｐtrを保存する（ステップ３０２）。
【００２４】
伝送装置２１の光アンプ２０１は、受信した光信号から主信号と監視信号Ｓを分離し、主信号を光増幅してさらに下流の伝送装置へ送信し、監視信号Ｓを監視信号受信部２０２へ出力する。光アンプ２０１は受信パワーレベル情報Ｐrcvを装置制御部２０７へ出力する（ステップ３０３）。装置制御部２０７は、受信パワーレベル情報Ｐrcvを監視信号に乗せて送信するように監視信号送信部２０６を制御する。監視信号送信部２０６は、装置制御部２０７の制御に従って、受信パワーレベル情報Ｐrcvを含む監視信号Ｓ(Prcv)を生成し光アンプ２０５へ出力する。光アンプ２０５は、上流から受信した主信号を光増幅すると共に監視信号Ｓ(Prcv)を波長多重し、光伝送路４０を通して伝送装置１１へ送信する（ステップ３０４）。
【００２５】
伝送装置１１の光アンプ１０５は、受信した光信号から主信号と監視信号（ここではＳ(Prcv)）を分離し、主信号を光増幅してさらに下流の伝送装置へ送信し、監視信号Ｓ(Prcv)を監視信号受信部１０６へ出力する。監視信号受信部１０６は監視信号Ｓ(Prcv)から伝送装置２１での受信パワーレベル情報Ｐrcvを取り出し、装置制御部１０４へ出力する。
【００２６】
装置制御部１０４は、当該伝送装置１１の送信パワーレベル情報Ｐtrと伝送装置２１での受信パワーレベル情報Ｐrcvとをスパンロス検出部１１０へ出力する。スパンロス検出部１１０は、送信パワーレベル情報Ｐtrと受信パワーレベル情報Ｐrcvとの差分をとることで光伝送路３０のスパンロス実測値を算出し、比較部１１１へ出力する（ステップ３０５）。比較部１１１は、入力したスパンロス実測値と伝送設計時に想定したスパンロス目標値とを比較し、その差分を装置制御部１０４へ出力する。装置制御部１０４は、スパンロスの実測値と目標値との差に応じた減衰制御信号Ｃを生成し、光可変減衰器１１２へ出力する（ステップ３０６）。こうして、光伝送路３０のスパンロスの実測値と目標値との差に従って光可変減衰器１１２での減衰量を制御することでスパンロスの自動調整が可能となる。
【００２７】
なお、図２および図３では、伝送装置１１において光伝送路３０のスパンロスを検出して光可変減衰器１１２を調整したが、同じ構成を伝送装置２１に設けることで光伝送路４０のスパンロスの自動調整も可能である。
【００２８】
本発明の第２実施形態によれば、伝送装置１１と伝送装置２１とがそれぞれ逆方向に光信号を伝送する２本の光伝送路３０および４０で接続された伝送システムにおいて、各光伝送路のスパンロスを上流側の伝送装置で調整可能となる。
【００２９】
３．第３実施形態
図４に示すように、本発明の第３実施形態によるスパンロス自動調整装置は一方の伝送装置１２に設けられている。本実施形態による光伝送システムでは、伝送装置１２と伝送装置２２とが２本の光伝送路３０および４０で接続され、それぞれ光信号を逆方向に伝送する。このような二重化された伝送システムでは、一方の光伝送路に障害が発生しても他方の光伝送路へ切り替えることで障害を迂回したパスを形成することが可能である。なお、図２と同じ機能を有するブロックには同一の参照番号を付して説明は簡略化する。
【００３０】
図４において、伝送装置１２は、光伝送路３０の系に対応する光アンプ１０１および監視信号送信部１０２と本実施形態による制御を行う装置制御部１０７とに加えて、光伝送路４０の系に対応する光アンプ１０５および監視信号送信部１０６と、装置制御部１０４により制御されるスパンロス検出部１１０および比較部１１１と、光アンプ１０１の出力側に設けられた光可変減衰器１１２と、光アンプ１０５の入力側に設けられた光可変減衰器１１３とをさらに有する。
【００３１】
伝送装置２２は、光伝送路３０の系に対応する光アンプ２０１および監視信号受信部２０２と、光伝送路４０の系に対応する光アンプ２０５および監視信号送信部２０６と、本実施形態による制御を行う装置制御部２０８と、を有する。装置制御部２０８は伝送装置２２の全体的な動作制御を行う。本実施形態によれば、伝送装置２２は、光伝送路３０を通して受信した光信号の受信パワーレベル情報Ｐrcv1と光アンプ２０５の送信パワーレベル情報Ptr2とを監視信号を利用して光伝送路４０を通して伝送装置１２へ送信する機能を有する。
【００３２】
なお、伝送装置１２において、監視信号送信部１０２、装置制御部１０７、監視信号送信部１０６、スパンロス検出部１１０、および比較部１１１の機能は、プログラム制御プロセッサ上でプログラムを実行することにより実現することもできる。同様に、伝送装置２２において、監視信号受信部２０２、監視信号送信部２０６および装置制御部２０８の機能は、プログラム制御プロセッサ上でプログラムを実行することにより実現することもできる。以下、本実施形態の動作を図４および図５を参照しながら詳細に説明する。
【００３３】
まず、伝送装置１２の監視信号送信部１０２は、装置制御部１０７の制御に従って監視信号Ｓを生成し光アンプ１０１へ出力する。光アンプ１０１は、上流から受信した主信号を光増幅すると共に監視信号Ｓを波長多重し、光可変減衰器１１２を通して光伝送路３０へ送出する（ステップ４０１）。その際、装置制御部１０７は送信時の送信パワーレベル情報Ｐtr1を保存する（ステップ４０２）。
【００３４】
伝送装置２２の光アンプ２０１は、受信した光信号から主信号と監視信号Ｓを分離し、主信号を光増幅してさらに下流の伝送装置へ送信し、監視信号Ｓを監視信号受信部２０２へ出力する。光アンプ２０１は受信パワーレベル情報Ｐrcv1を装置制御部２０７へ出力し、光アンプ２０５は送信パワーレベル情報Ｐtr2を装置制御部２０７へ出力する（ステップ４０３）。装置制御部２０８は、受信パワーレベル情報Ｐrcv1および送信パワーレベル情報Ｐtr2を監視信号に乗せて送信するように監視信号送信部２０６を制御する。監視信号送信部２０６は、装置制御部２０８の制御に従って、受信パワーレベル情報Ｐrcv1および送信パワーレベル情報Ｐtr2をを含む監視信号Ｓ(Prcv1, Ptr2)を生成し光アンプ２０５へ出力する。光アンプ２０５は、上流から受信した主信号を光増幅すると共に監視信号Ｓ(Prcv1, Ptr2)を波長多重し、光伝送路４０を通して伝送装置１１へ送信する（ステップ４０４）。
【００３５】
伝送装置１２の光アンプ１０５は、伝送装置２２から光可変減衰器１１３を通して受信した光信号から主信号と監視信号（ここではＳ(Prcv1, Ptr2)）を分離し、主信号を光増幅してさらに下流の伝送装置へ送信し、監視信号Ｓ(Prcv1, Ptr2)を監視信号受信部１０６へ出力する。監視信号受信部１０６は監視信号Ｓ(Prcv1, Ptr2)から伝送装置２２での受信パワーレベル情報Ｐrcv1および送信パワーレベル情報Ｐtr2を取り出し、装置制御部１０７へ出力する。さらに、光アンプ１０５は伝送装置２２から光可変減衰器１１３を通して受信した光信号の受信パワーレベルＰrcv2を検出して装置制御部１０７へ出力する（ステップ４０５）。
【００３６】
装置制御部１０７は、まず、当該伝送装置１２の送信パワーレベル情報Ｐtr1と伝送装置２２での受信パワーレベル情報Ｐrcv1とをスパンロス検出部１１０へ出力する。スパンロス検出部１１０は、送信パワーレベル情報Ｐtr1と受信パワーレベル情報Ｐrcv1との差分をとることで光伝送路３０のスパンロス実測値を算出し、比較部１１１へ出力する（ステップ４０６）。比較部１１１は、入力したスパンロス実測値と伝送設計時に想定したスパンロス目標値とを比較し、その差分を装置制御部１０７へ出力する。同様に、装置制御部１０７は、伝送装置２２の送信パワーレベル情報Ｐtr2と伝送装置１２での受信パワーレベル情報Ｐrcv2とをスパンロス検出部１１０へ出力する。スパンロス検出部１１０は、送信パワーレベル情報Ｐtr2と受信パワーレベル情報Ｐrcv2との差分をとることで光伝送路４０のスパンロス実測値を算出し、比較部１１１へ出力する（ステップ４０６）。比較部１１１は、入力したスパンロス実測値と伝送設計時に想定したスパンロス目標値とを比較し、その差分を装置制御部１０７へ出力する。
【００３７】
こうして伝送路３０および４０のスパンロスが検出されると、装置制御部１０７は、光伝送路３０のスパンロスの実測値と目標値との差に応じた減衰制御信号Ｃ１を生成し、光可変減衰器１１２へ出力し、光伝送路４０のスパンロスの実測値と目標値との差に応じた減衰制御信号Ｃ２を生成し、光可変減衰器１１３へ出力する（ステップ４０７）。こうして、光伝送路３０および４０におけるスパンロスの実測値と目標値との差に従って光可変減衰器１１２および１１３での減衰量を制御することで、２つの光伝送路３０および４０のスパンロスの自動調整が一度に可能となる。
【００３８】
本発明の第３実施形態によれば、伝送装置１２と伝送装置２２とがそれぞれ逆方向に光信号を伝送する２本の光伝送路３０および４０で接続された伝送システムにおいて、両方の光伝送路のスパンロスを１つの伝送装置で一度に調整可能となる。
【００３９】
４．他の実施例
上記実施形態では、波長分割多重（ＷＤＭ）伝送システムを例示したが、本発明はこれに限定されるものではなく、監視信号（たとえばＳＯＮＥＴ／ＳＤＨのＤＣＣ通信）を用いて伝送装置間で情報のやりとりができるシステムであれば、適用可能である。
【産業上の利用可能性】
【００４０】
本発明は、伝送装置間が複数の光伝送路で接続され、監視信号を用いて伝送装置間で情報のやりとりができる伝送システムに適用可能である。
【符号の説明】
【００４１】
１０−１２、２０−２２  伝送装置
１０１、１０５、２０１、２０５  光アンプ
１０２、２０６  監視信号送信部
１０３、１０４、１０７、２０３，２０７，２０８  装置制御部
１０６、２０２  監視信号受信部
１１０  スパンロス検出部
１１１  比較部
【図１】
2012205172.tif 000003
【図２】
2012205172.tif 000004
【図３】
2012205172.tif 000005
【図４】
2012205172.tif 000006
【図５】
2012205172.tif 000007